Podtech/llm-jp-corpus-v4-ja_patent huggingface dataset:
(57)【要約】      （修正有）【課題】医療に用いられる抗生剤などの注射液（点滴）において、粉末薬品と溶媒（生理食塩水など）を分離された２室に封入し保存、使用時にその間を開通することにより、粉末薬品を溶解し、注射液として実用に共されている薬品がある。その、２室間の開通操作を忘れ、溶媒である液体のみを投与するというヒューマンエラーを未然に防ぐことができる点滴バッグを提供する。【解決手段】２室に封入する粉末薬品と溶媒がわの組み合わせを改変し、点滴ライン刺入部側に粉末薬品を封入する。このバッグにより、開通操作を忘れた場合、点滴ラインに液体が通ることがなくなり、ミスを早期に認知することを可能とする。【選択図】図１
0003151683.tif 000002
【実用新案登録請求の範囲】
【請求項１】
上下２室間の隔壁を開通することにより使用する輸液バッグにおいて、上室を溶媒である液体、下室（点滴ライン刺入側）を粉末薬品とすることを特徴とする輸液バッグ。
【考案の詳細な説明】
【技術分野】
【０００１】
本考案は、医療の分野で用いられる点滴バッグに関するものである。
【背景技術】
【０００２】
医療に用いられる抗生剤などの注射液（点滴）は、安定性の見地から粉末として出荷され、使用時に溶媒（生理食塩水など）と混合し適性濃度とした上で使用される薬品が多い。それらの薬品の中には混合時の利便性、および外部から雑菌などの汚染を防ぐ目的で、粉末薬品と溶媒（生理食塩水など）を分離された２室に封入し保存、使用時にその間を開通することにより、粉末薬品を溶解し、注射液として実用に共されている薬品がある。
【０００３】
しかし、現行の製剤では下室に溶媒があり（図２）２室間を貫通しなくとも、点滴ラインに液体が通るため、緊急時などの切迫した状況において、開通操作を忘れ、粉末薬品を混入せずに点滴ラインに溶媒のみを通し、薬品が投与されないというアクシデントが生じる欠点があった。
【０００４】
実際の医療現場において、病状が重篤である緊急時にこそ、迅速にミスなく行われることが重要であり、この欠点はヒューマンエラーの原因となる大きな障害である。具体的には、薬剤を投与したつもりで点滴ラインを接続したものの、生理食塩水などの溶媒のみが点滴静注され、肝心の薬剤が投与されないでいたとするアクシデントが生じる問題があった。この問題を解決するために折りたたんだ状態から開くだけで隔壁は開通するバッグなどが考案されたが、抗生剤などの小型の点滴バッグには採用されていない。
【０００５】
この改善策として、２室に封入する粉末薬品と溶媒の組み合わせを変え、点滴ライン刺入部側に粉末薬品を封入するバッグを考案した（図１）。このバッグにより、開通操作を忘れた場合、点滴ラインに液体が通ることがなくなる。
【先行技術文献】
【特許文献】
【０００６】
【特許文献１】特許公開２００５ー２１１６４３
【特許文献２】特許公開２００３ー１１１８１８
【考案の概要】
【考案が解決しようとする課題】
【０００７】
解決しようとする問題点は、開通操作を忘れ、粉末薬品を混入せずに点滴ラインに溶媒のみを通し、薬品が投与されないというアクシデントが生じる可能性がある点である。
【課題を解決するための手段】
【０００８】
本考案は、そこで、２室に封入する粉末薬品と溶媒の組み合わせを変え、点滴ライン刺入部側に粉末薬品を封入した（図１）ことを最も主要な特徴とする。
【考案の効果】
【０００９】
本考案の輸液バッグにより、開通操作を忘れて使用した場合に、点滴ラインに液体満たされることがなくなるため、開通操作を行っていないことが認知され、医療ミスを未然に防ぐことができるという利点がある。また、大規模な製造ラインの改修を経なくとも製造でき得る利点がある。
【図面の簡単な説明】
【００１０】
【図１】図１は今回考案した点滴バッグの実施方法を示した説明図である。（実施例１）
【図２】図２は従来の点滴バッグの実施方法を示した説明図である。（実施例2）
【考案を実施するための形態】
【００１１】
溶液のみを点滴してしまうミスを未然に防ぐ目的を、最小の部品点数で実現した。
【実施例１】
【００１２】
図１は、本考案装置の実施例であって、外装の素材などは図２と同様である。
【００１３】
本考案の主体は薬品と溶媒の位置、組み合わせにあるので、材質、点滴ライン刺入部および内容表示のラベルは省略する。
【００１４】
隔壁の開通操作を行わずに点滴ラインを刺入口に刺入しただけでは、下室に粉末があるだけなので、点滴ラインに液体が満たされない。
【００１５】
このような組み合わせを持つことにより、隔壁を開通させていない場合は点滴ラインに液体が満たされず、且つ、輸滴管による点滴速度の調節ができない。このため隔壁を開通させていないミスに気づくことが可能となる。
【実施例２】
【００１６】
図２の実施例は、従来の実施例であり、隔壁を開通させていない場合でも、点滴ラインおよび輸滴管内に液体が満たされ、下室の溶媒のみが点滴されてしまう。下室を粉末薬品側にするだけでヒューマンエラーを未然に防ぐことにおおいに役立つ。
【産業上の利用可能性】
【００１７】
上室と下室の内容を変更するだけなので、これまで製造ラインの改修で対応することが可能であり、また、他の新技術は不要である。
【図１】
0003151683.tif 000003
【図２】
0003151683.tif 000004
(57)【要約】      （修正有）【課題】クッションと便器口との間の間隙を遮断して排泄物が溢れ出ない様にする便座を提供する。【解決手段】バッフル板はクッションと便器口との間の間隙を遮断して排泄物が間隙から便器口の外側に溢れ出ない様にする。便座１００はクッション２００とバッフル板３００を含み、クッション２００とバッフル板３００は一体成形であり、バッフル板３００はまたクッション２００と分離して接続することもでき、ボルトで螺合、係止、粘着又はその他これらに類した接続機能を提供する方法で、バッフル板３００をクッション２００の内側辺の前縁２１０に設置し、またクッション２００の内側辺全体に設置することもでき、環状内凹部を形成する。【選択図】図２
0003151689.tif 000002
【実用新案登録請求の範囲】
【請求項１】
一体成形されたクッションであって、前記クッションは便器口の上に分離して設置することができるものと、
一体成形されて前記クッションの内側辺に設置されるバッフル板であって、前記バッフル板が前記クッションと前記便器口との間の間隙を遮断するものと、
からなることを特徴とする便座。
【請求項２】
前記クッションと前記バッフル板は分離して接続することを特徴とする請求項1に記載の便座。
【請求項３】
前記バッフル板はさらに鈍部を含むことを特徴とする請求項1に記載の便座。
【考案の詳細な説明】
【技術分野】
【０００１】
本考案はバッフル板を有する便座に関する。
【背景技術】
【０００２】
従来の便座のクッションは通常便器蓋を増設して異物が便器口内に落ちないようにしている。上記の便座クッションは通常分離して便器口上に設置でき、クッションと便器口との間に間隙があることによって、ユーザーが便器を使用する際、たまに不注意で排泄物を間隙から便器口の外部に溢れさせてしまうことがある。こうしたことに鑑みて、本考案は上記の欠点を改善して解決するために、深く研究する共に併せて学術理論を運用して、合理的設計で上記の欠点を効果的に改善した本考案を提案するものである。
【考案の概要】
【考案が解決しようとする課題】
【０００３】
本考案の主な目的はバッフル板でクッションと便器口との間の間隙を遮断して排泄物が溢れ出ない様にする便座を提供することにある。
【０００４】
本考案の別の目的は適切な設計を施したバッフル板を利用してトイレの清潔を保つ便座を提供することにある。
【０００５】
本考案の別の目的はトイレの使用習慣がよくないユーザー（例：子供）によって溢れ出た排泄物で住まいの環境を汚染し難くする便座を提供することにある。
【課題を解決するための手段】
【０００６】
本考案はクッション、バッフル板を提供し、バッフル板がクッションと便器口との間の間隙を遮断して、排泄物が間隙から便器口の外側に溢れ出ない様にする。
【図面の簡単な説明】
【０００７】
【図１】本考案の便座クッションの実施例の概略図である。
【図２】本考案の便器とクッション構造の実施例の概略図である。
【図３】本考案の便器とクッションの実施例の概略図である。
【図４】図３の実施例の断面図である。
【考案を実施するための形態】
【０００８】
以下、添付図面を参照して本考案の実施の形態を詳細に説明する。
【実施例】
【０００９】
図１に示すように、本考案の新型便座１００はクッション２００とバッフル板３００を含み、前記クッション２００とバッフル板３００は一体成形であり、バッフル板３００はまたクッション２００と分離して接続することもでき、ボルトで螺合、係止、粘着又はその他これらに類した接続機能を提供する方法で、バッフル板３００をクッション２００の内側辺の前縁２１０に設置し、またクッション２００の内側辺全体に設置することもでき、環状内凹部（図示せず）を形成する。
【００１０】
クッション２００の内側辺は好ましくは楕円形であるが、その他の適当な形状でもよく、クッション２００のプレート２２０は平面で、しかも人間工学の設計に適うように、クッション２００の内側辺に向かって下方に彎曲して弧面を形成し（図示せず）、またクッション２００は便器蓋をクッション２００上に設置することができ、バッフル板３００は丸みを帯びた滑らかな形の鈍部３１０を形成して、便座１００と便器口を閉じる際、誤差によってバッフル板３００が直接便器口の内側辺に衝突し損壊して鋭利にならないようにすることができ、しかもユーザーの手足など身体の一部が便器口に置かれた際に、便座１００が便器口を閉じることによって、衝撃を受けて重篤な怪我をするのを防止することもできる。
【００１１】
図2に示すように、クッション２００は便器口４００上に分離して設置することができ、便器口４００は中心部に向かって内斜面４１０を形成して、少量の汚物が便器口４００の外側辺４２０やバッフル板３００のバッフル板下縁３５０に溢れ出るのを防止することができる。
【００１２】
図３、図４に示すように、クッション２００が便器口を閉じると、バッフル板３００がクッション２００の内側辺の前縁２１０付近の内斜面の間隙４３０を部分的に遮断するが、バッフル板３００はまた間隙４３０全部を遮断することもできる。Ａ−Ａ’方向の破線で、便器と便座を断ち割った断面図は、図4に示すように、バッフル板３００が内斜面４１０とクッション２００によって形成された間隙４３０を遮断し、バッフル板３００の高さＢは汚物を遮断して、排泄物が間隙４３０から便器口の外側辺４２０から溢れ出ないようにすることができる。従って、バッフル板３００の高さＢはクッション２００の厚みと間隙４３０の孔径を合計した高さＣよりも大きくなる。
【符号の説明】
【００１３】
１００  便座
２００  クッション
２１０  前縁
２２０  プレート
３００  バッフル板
３１０  鈍部
３５０  バッフル板下縁
４００  便器口
４１０  内斜面
４２０  外側辺
４３０  間隙
Ｂ      高さ
Ｃ      高さ
【図１】
0003151689.tif 000003
【図２】
0003151689.tif 000004
【図３】
0003151689.tif 000005
【図４】
0003151689.tif 000006
(57)【要約】      （修正有）【課題】浮きやすくし、水への恐れを減らし、また、手、腕、脚、足を意のままに動きやすくし、水泳の練習を効果的にする身体に密着する浮きつきベストを提供する。【解決手段】身ごろの裏面に面ファスナーで浮きを貼り付けたこと、及び／又は、身ごろにポケットをつけ、ポケットに浮きを入れたことを特徴とする。【選択図】図１
0003151601.tif 000002
【実用新案登録請求の範囲】
【請求項１】
身ごろの裏面にマジックテープで浮きを貼り付けた浮きつき水泳練習用ベスト
【請求項２】
身ごろにつけたポケットに浮きを入れた浮きつき水泳練習用ベスト
【請求項３】
上記の請求項１と請求項２の両方の浮きを兼ね備えた水泳練習用ベスト
【考案の詳細な説明】
【技術分野】
【０００１】  本考案は、浮きつき水泳練習用着衣に関するものである。
【背景技術】
【０００２】  従来、水泳練習用浮き具として、ビート板、腹または腕まわりにつける浮き輪、ブイが用いられてきた。
【考案の開示】
【考案が解決しようとする課題】
【０００３】  従来のビート板は手で押さえてないと逃げてしまうため、手や腕が自由にならず、浮き輪、ブイは不安定で格好もあまり好くなく、大人には使いにくい。沈んでしまうのではないかという恐れのために、なかなか上達せずに、水泳を断念してしまう大人が少なくない。大人でも抵抗なく使用できる水泳練習用具が望まれる。
【課題を解決するための手段】
【０００４】  安心して身をゆだね手、腕、脚、足を思い通りに動かしやすくする、身体に密着した浮きつきベストを考案した。浮きはベストにポケットをつけて入れたり、身ごろの内側、身体に触れる側に、マジックテープなどで取り付けて調節できるようにする。また、身ごろには伸縮性のある布地を用い、マジックテープやベルトで調節して身体に密着させる。
【考案の効果】
【０００５】  身体に密着した浮きつきベストは、安心して練習に励むことを可能にし、手、腕、脚、足をより思うように動かせるようにするため、上達を早め、水泳を断念する大人を減らす。さらに、進歩にあわせて、ベストにつけた浮きを調節することにより、上達が一層早まり、深まる。また、このベストは水中リハビリにも成り立つ。
【考案を実施するための最良の形態】
【０００６】  水着のような伸縮性のある素材のベストをつくり、前身ごろに左右１個ずつ大きなポケット、後身ごろに１個大きなポケットをつけ、そのポケットに浮きを入れる。身ごろ全体を二重にし、表裏の間をポケットとし、浮きの出し入れは身ごろの下方から行うとよい。【０００７】  さらに、ベストの裏面、身体に触れる面にマジックテープの滑らかな方をつけ、そこにマジックテープのざらざらした方をつけた浮きをはりつける。身ごろ、身体の形に合わせて、前の方上下で２個、後ろの方上下で２個。【０００８】  浮きは空気口のついた防水性の浮き袋、または軽い物質からなる固形物。
空気浮き袋は入れる空気の量で調節し、固形の浮きは、大きさ厚さで調節する。厚さは固形物を重ねる枚数を変えるとよい。間にマジックテープを用いて。【０００９】  ベストの前面はやや広めの打ち合わせにして、マジックテープで止める。【００１０】  身ごろを合わせた合わせたうえから、救命胴衣方式の調節できるベルトで締める。できれば伸縮性のあるベルトで。
【実施例】
【００１１】  身ごろに浮き袋用のポケットをつけず、裏面に浮きをつけるだけのベストにしてもよい。【００１２】  浮きの個数、形、大きさはさまざま。身ごろ、身体に合わせて、前左右１個ずつ、前も後も１個なども考えられる。なお、前１個のときはマジックテープをつけなくともよい。【００１３】  前身ごろを合わせるのにファスナーを用いてもよい。また、ベルトの数を増やせば、ベルトだけで締めることが可能。
【図面の簡単な説明】
【００１４】
【図１】ベストの前みごろの図
【図２】ベストの後身ごろの図
【図３】浮きの例
【符号の説明】
【００１５】  １  ベルト
２  マジックテープ
３  ベルト締め具
４  ファスナー
５  ベルト通し
【図１】
0003151601.tif 000003
【図２】
0003151601.tif 000004
【図３】
0003151601.tif 000005
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
身ごろの裏面に面ファスナーで浮きを貼り付けた浮きつき水泳練習用ベスト
【請求項２】
身ごろにつけたポケットに浮きを入れた浮きつき水泳練習用ベスト
【請求項３】
身ごろの裏面に面ファスナーで浮きを貼り付け、かつ、身ごろにつけたポケットに浮きを入れた、水泳練習用ベスト
【手続補正２】
【補正対象書類名】明細書
【補正対象項目名】０００４
【補正方法】変更
【補正の内容】
【０００４】  安心して身をゆだね手、腕、脚、足を思い通りに動かしやすくする、身体に密着した浮きつきベストを考案した。浮きはベストにポケットをつけて入れたり、身ごろの内側、身体に触れる側に、面ファスナーなどで取り付けて調節できるようにする。また、身ごろには伸縮性のある布地を用い、面ファスナーやベルトで調節して身体に密着させる。
【手続補正３】
【補正対象書類名】明細書
【補正対象項目名】０００７
【補正方法】変更
【補正の内容】
【０００７】  さらに、ベストの裏面、身体に触れる面に面ファスナーの滑らかな方をつけ、そこに面ファスナーのざらざらした方をつけた浮きをはりつける。身ごろ、身体の形に合わせて、前の方上下で２個、後ろの方上下で２個。
【手続補正４】
【補正対象書類名】明細書
【補正対象項目名】０００８
【補正方法】変更
【補正の内容】
【０００８】  浮きは空気口のついた防水性の浮き袋、または軽い物質からなる固形物。
空気浮き袋は入れる空気の量で調節し、固形の浮きは大きさ厚さで調節する。厚さは固形物を重ねる枚数を変えるとよい。間に面ファスナーを用いて。
【手続補正５】
【補正対象書類名】明細書
【補正対象項目名】０００９
【補正方法】変更
【補正の内容】
【０００９】  ベストの前面はやや広めの打ち合わせにして、面ファスナーで止める。
【手続補正６】
【補正対象書類名】明細書
【補正対象項目名】００１２
【補正方法】変更
【補正の内容】
【００１２】  浮きの個数、形、大きさはさまざま。身ごろ、身体に合わせて、前左右１個ずつ、前も後ろも１個なども考えられる。なお、前１個のときは面ファスナーをつけなくともよい。
【手続補正７】
【補正対象書類名】明細書
【補正対象項目名】００１５
【補正方法】変更
【補正の内容】
【００１５】  １  ベルト
２  面ファスナー
３  ベルト締め具
４  ファスナー
５  ベルト通し
【手続補正８】
【補正対象書類名】図面
【補正対象項目名】図１
【補正方法】変更
【補正の内容】
【図１】
0003151601.tif 000006
(57)【要約】      （修正有）【課題】取り付けやすく、かつ、目立ち易い情報表示部を有する自動車を提供する。【解決手段】自動車１００は、外側に取り外し可能な付属品（ボックス）１２を有し、付属品１２には、広告情報を表示する表示装置１０が取り付けられ、表示装置１０は、発光式の表示装置又はバックライトを用いたものであることを特徴とする。表示装置１０は、自動車１００の位置に応じた広告情報などを表示することができる。【選択図】図１
0003151608.tif 000002
【実用新案登録請求の範囲】
【請求項１】
外側に広告情報を表示する表示装置が取り付けられ、
前記表示装置は、発光式の表示装置又はバックライトを用いたものである自動車。
【請求項２】
請求項１において、
前記自動車は、外側に取り外し可能な付属品を有し、
前記表示装置は、前記付属品に取り付けられている自動車。
【請求項３】
請求項１又は２において、
前記表示装置は、前記自動車の位置情報に応じた広告を表示するものである自動車。
【考案の詳細な説明】
【技術分野】
【０００１】
本考案は、情報表示部を有する自動車に関する。
【背景技術】
【０００２】
従来から、バスなどの自動車に広告などの看板を取り付けられている。しかし、その広告は、夜など暗くなるとみえないという問題があるとともに、遠くからの視認性も決して十分なものとはいえないものである。
【考案の概要】
【考案が解決しようとする課題】
【０００３】
本考案の目的は、取り付けやすく、かつ、目立ち易い情報表示部を有する自動車を提供することにある。
【課題を解決するための手段】
【０００４】
本考案に係る自動車は、
外側に広告情報を表示する表示装置が取り付けられ、
前記表示装置は、発光式の表示装置又はバックライトを用いたものである。
【０００５】
本考案の自動車は、外側に広告情報を表示する表示装置を取り付けているため、取り付けが容易である。また、表示装置は、発光式の表示装置又はバックライトを用いたものであるため、視認性がよくなる。
【０００６】
本考案において、前記自動車は、付属品を有し、
前記表示装置は、前記付属品に取り付けられている。
【０００７】
表示装置は、付属品に取り付けられているため、付属品の取り外しをすれば表示装置を取り外すことができ、取り付け又は取り外しが容易となる。
【０００８】
本考案において、前記表示装置は、前記自動車の位置情報に応じた広告を表示するものとすることができる。これによれば、広告効果を向上させることができる。
【０００９】
ここで、自動車とは、自動四輪車、自動二輪車、自動三輪車、原動機付き自転車、バスなどを含み、動力により移動する車を含む概念である。
【図面の簡単な説明】
【００１０】
【図１】実施の形態に係る自動車を模式的に示す図である。
【図２】表示装置の適用例を模式的に示す図である。
【図３】表示装置の適用例を模式的に示す図である。
【図４】自動車の機能構成を示すブロック図である。
【考案を実施するための形態】
【００１１】
以下、本考案の実施の形態について図面を参照しながら説明する。
【００１２】
本実施の形態においては、自動車として二輪自動車を例にとり説明する。
【００１３】
図１は、自動車を模式的に示す図である。
【００１４】
自動車１００は、広告を表示するための表示装置１０が設けられている。表示装置１０は、発光式の表示装置又はバックライトを用いた表示装置である。表示装置１０は、自動車１００の本体自体に取り付けることもでき、又は、自動車１０の付属品に取り付けることもできる。
【００１５】
発光式の表示装置としては、たとえば、発光ダイオードによる表示装置や有機エレクトロルミネッセンス（有機ＥＬ）の表示装置を挙げることができる。バックライトを用いた表示装置としては、たとえば、液晶表示装置や、文字や図形が印刷された透光板の後ろからバックライトにより光を当てて表示させるもの（いわゆるコルトンボックス）であってもよい。バックライトは公知のものを適用することができ、特に発光ダイオードが好適である。表示装置１０は、自動車１０の動力源（たとえばエンジン）により生じた電気を用いることも可能であるし、又は、自動車に太陽光パネルを設けその太陽光発電で蓄えられた電気を利用することもできる。
【００１６】
表示装置１０は、自動車１００の付属品に取り付けることができる。その付属品としては、自動二輪車を例にとると、図１〜図３に示すように荷物を収納するボックス１２などが好適である。ボックス１２に表示装置１０を取り付ける場合には、そのボックス１２の蓋１４に付けることもできる。蓋１４の裏には保持板１６により、表示装置１０を保持することができる。
【００１７】
自動車１００は、図４に示すように、通信手段２０を設けることもできる。通信手段２０は、ＧＰＳ機能を有する携帯通信端末などのような位置情報を取得することができるものであれば特に限定されず、公知のものを適用することができる。通信手段２０により自らの位置情報を取得した後に、当該位置情報に応じた広告を記憶手段３０から読み出し、表示装置１０にその広告を表示することができる。記憶手段３０としては、ＲＯＭやＲＡＭ、ＣＤ、ＤＶＤ、ハードディスクなどの公知の記憶手段を適用することができる。この制御は、ＣＰＵなどの公知の演算手段からなる制御手段４０により行うことができる。また、広告情報を受信して、表示装置１０に表示してもよい。
【００１８】
位置情報に応じた広告とは、たとえば、その位置に最も近い登録されているお店や商品などの広告や、その場所や時間に最も広告効果が高くなると判断されるお店や商品等の広告などがある。
【００１９】
本実施の形態は、本考案の範囲内において種々の変形が可能である。
【産業上の利用可能性】
【００２０】
本考案は、表示装置を有する自動車において、取り付けやすく、かつ、目立ち易い表示装置を実現することができる。
【符号の説明】
【００２１】
１０  表示装置
１２  ボックス
１４  蓋
１６  保持板
２０  通信手段
３０  制御手段
４０  記憶手段
１００  自動車
【図１】
0003151608.tif 000003
【図２】
0003151608.tif 000004
【図３】
0003151608.tif 000005
【図４】
0003151608.tif 000006
【手続補正書】
【提出日】平成21年4月10日(2009.4.10)
【手続補正１】
【補正対象書類名】実用新案登録請求の範囲
【補正対象項目名】請求項２
【補正方法】変更
【補正の内容】
【請求項２】
請求項１に記載の自動車において、
前記自動車は、外側に取り外し可能な付属品を有し、
前記表示装置は、前記付属品に取り付けられている自動車。
【手続補正２】
【補正対象書類名】実用新案登録請求の範囲
【補正対象項目名】請求項３
【補正方法】変更
【補正の内容】
【請求項３】
請求項１又は２に記載の自動車において、
前記表示装置は、前記自動車の位置情報に応じた広告を表示するものである自動車。
(57)【要約】      （修正有）【課題】唾・汗等でむずがゆくなく、マスクと皮膚との接触感も良く、掛け外し・収納が簡単で長期間使用できる衛生的なマスクを提供する。【解決手段】会話中に物及び第三者への唾・呼気の飛散・放散を防止するため、マスク本体の素材は合成樹脂とし、その下部を内側に折り曲げ、唾受けを備え、マスク本体とつるのつなぎは蝶番的形式とし耳につるを掛け装着できるように構成する。かつ、つるは、コンパクトに収納できるように、折りたたみ可能として、携帯用の唾・呼気の飛散・放散防止マスクを構成する。【選択図】図１
0003151605.tif 000002
【実用新案登録請求の範囲】
【請求項１】
会話中に物及び第三者への唾・呼気の飛散・放散を防止する合成樹脂性マスクで、
そのマスク本体の下部を内側に折り曲げ、唾受けを備え、マスクを下顎に眼鏡感覚で当
て、口．鼻の前を５ｃｍ程開け、マスク本体とつるのつなぎは蝶番的形式とし耳に掛け
装着し、かつ折りたたみ、コンパクト化することを特徴とする携帯用の唾・呼気の飛散
・放散防止マスク。
【考案の詳細な説明】
【技術分野】
【０００１】
本発明は、物及第三者への唾・呼気の飛散・放散防止するマスクに関するものである。
【背景技術】
【０００２】
従来の技術としては、マスクが顔面から離間しており、息苦しくなく声を出し喋って
も他人への唾・呼気の飛散・放散を防止するマスクが開示されている。
【先行技術文献】
【特許文献】
【０００３】
【特許文献１】特開２００４−２４８１９号公報
【特許文献２】特開２００５−１８５３８１号公報
【０００４】
しかし、従来のマスクは唾・呼気の飛散・放散を防止する利点はあるが、顎全体に当
て固定しているため皮膚と密着し、唾・汗等でむずがゆく接触感が悪く衛生的にも問題
点があった。かつ、ゴム、紐で耳に掛けるため、掛け外しが簡便でない欠点があった。
【考案の概要】
【考案が解決しようとする課題】
【０００５】
解決しようとする問題点は、顎全体に当て固定し装着ているため皮膚と密着し、唾・汗
等でむずがゆく不衛生で、かつ掛け外しが簡単でない点である。
【課題を解決するための手段】
【０００６】
本発明は、マスクの素材は合成樹脂とし、唾・汗等でむずがゆくなく衛生的で、簡単に
に掛け外しできることを特徴とする。
【考案の効果】
【０００７】
本発明のマスクは、素材は合成樹脂のため、口の前が開いても物及第三者への唾・呼気
の飛散・放散を効果的に防止し、衛生上安全・安心できる。また、第三者に対し、清潔
な印象を与えるとともに透明なマスクは顔全体の表情が分かり意思疎通も積極的に図れる。
なおかつ簡単に洗浄できる。
また、掛け外しが簡単で、折りたたみ形式のため収納が容易である。かつ使い捨てでな
く長期間使用でき資源の無駄使いにならない。
【図面の簡単な説明】
【０００８】
【図１】マスク装着実施の姿を示した斜視図である。
【図２】マスク装着実施の姿を示した側面図である。
【図３】マスクの唾受けを示した内側図である。
【考案を実施するための形態】
【０００９】
唾・呼気の飛散・放散防止、衛生上安全・安心、掛け外しが簡単にするという目的を、
合成樹脂の素材で実現した。
【実施例】
【００１０】
飲食、調理、デパート、スーパーストア、医療及び介護関係での用途が広く発明の効
果があらわれる。
【００１１】
使用者は、口、鼻の前が開放的あるため、唾・呼気の飛散・放散を気にすることなく、
また息苦しくなく極自然に会話ができる。透明性のマスクは、第三者から使用者の顔か
たちが分かり、また表情を窺がうことができ安全・安心感と清潔感を与える利点がある。
【００１２】
使用者は、洗浄が簡単また掛け外しも簡単、また折りたたみ形式のため収納が容易であ
り、かつ使い捨てでなく長期間使用可能で資源の無駄使いにならない利点がある。
【符号の説明】
【００１３】
1… マスク          
2… マスク本体
3… 唾受
4… つる
5… 蝶番
【図１】
0003151605.tif 000003
【図２】
0003151605.tif 000004
【図３】
0003151605.tif 000005
【手続補正書】
【提出日】平成21年4月22日(2009.4.22)
【手続補正１】
【補正対象書類名】実用新案登録請求の範囲
【補正対象項目名】全文
【補正方法】変更
【補正の内容】
【実用新案登録請求の範囲】
【請求項１】
会話中に物及び第三者への唾・呼気の飛散・放散を防止する合成樹脂性マスクであっ
、てマスク本体の下部を内側に折り曲げ、唾受けを備え、マスク本体とつるのつなぎは蝶番的形式とし耳につるを掛け装着できるように構成し、かつ、つるを折りたたみ可能とし、コンパクトに収納可能としたことを特徴とする携帯用の唾・呼気の飛散・放散防止マスク。
(57)【要約】      （修正有）【課題】狭い流し台においてスペースを無駄にすることなく、食料品を切ることができるまな板を提供する。【解決手段】流し台のシンク内で食料品が切れるよう、まな板１裏面に切り込み２を設る。水溜容器３に蓋をして、シンク内で使用し、上部水道水で簡単に洗い流せ、水溜容器３は、何でも入れられるスペースとなる。また、切った食料品の破片もシンク内にとどまる。【選択図】図１
0003151637.tif 000002
【実用新案登録請求の範囲】
【請求項１】
まな板１裏面に切り込み２を設け、水溜容器３に蓋をして使用する、シンク４内で使用できるまな板。
【考案の詳細な説明】
【技術分野】
【０００１】  本考案は台所で使用する、まな板に関するものである。
【背景技術】
【０００２】  従来から調理するため、食料品を切ることに供する、まな板というものがあった。
【考案の概要】
【考案が解決しようとする課題】
【０００３】  マンションやアパートの流し台は狭く、まな板を置いて、調理する場所を確保するのに苦労する。また、食料品を切るたびに、小さい食料品の破片が飛散し、掃除に苦労した。また、一品ごとに、まな板を手で持ち、洗わなければならなかった。
【課題を解決するための手段】
【０００４】  本考案は、まな板１裏面に切り込み２を設け、水溜容器３に蓋をして使用し、シンク４内でも使用できるまな板としたことで、問題を解決している。
【考案の効果】
【０００５】  狭い流し台において、シンク内のスペースを無駄にすることなく、食料品を切ることができ、上の水道で、直ぐ洗い流して、次の食料品を切ることができ、切った破片も、シンク内にとどまり、水溜容器には、茶碗でも、なんでも入れることができるので、便利である。
【図面の簡単な説明】
【０００６】
【図１】  本考案の斜視図
【図２】  本考案の使用状態を示す斜視図
【考案を実施するための形態】
【０００７】本考案は図２に示すように、シンク４内に本考案を置き、食料品を切る。
【実施例】
【０００８】  本考案をシンク４内に置き、食料品を切った後は、上部の水道水で洗い流す。また、使用しない時は、水を捨てて、食器等の入れ物に使用できる。
【符号の説明】
【０００９】１  まな板
２  切り込み
３  水溜容器
４  シンク
５  流し台
【図１】
0003151637.tif 000003
【図２】
0003151637.tif 000004
(57)【要約】      （修正有）【課題】シャフトの伸縮が自在に調整できるゴルフパターを提供する。【解決手段】パターヘッドシャフト１ａをグリップシャフト２ａのレール化した凹型状溝面１ｂに沿ってスライドさせ、伸縮をジョイント３で固定してパタ−ヘッドの方向性を一定に確保する。パターヘッドとグリップの長さを自在伸縮調整の上、ジョイントで固定することによりシャフトを短尺、中尺、長尺にセットした個性豊かなスタイルを可能にするゴルフパターが実現できる。【選択図】図５
0003151638.tif 000002
【実用新案登録請求の範囲】
【請求項１】
パタ−ヘッドシャフトとグリップシャフトの両シャフトで構成され、パタ−ヘッドシャフトをグリップシャフト内の凹型状溝によりスライドさせ、ジョイントでパタ−ヘッドとグリップの伸縮を自在に固定できるところを特徴とする伸縮ゴルフパタ−。
【考案の詳細な説明】
【技術分野】
【０００１】  本考案は、ゴルフパタ−のシャフトを二本として凹型状溝によりスライドするゴルフパタ−に関するものである。
【背景技術】
【０００２】  ゴルフパタ−シャフトは画一的な規格である。
【考案の概要】
【考案が解決しようとする課題】
【０００３】  パタ−ヘッドシャフトのスライド伸縮によって前述を解決しようとするものである。
【課題を解決するための手段】
【０００４】  本考案は、パタ−ヘッドシャフトとグリップシャフトの両シャフトで構成されパタ−ヘッドシャフトをグリップシャフト内にスライドさせて、ジョイントでパタ−ヘッドとグリップの伸縮を自在に調整固定させるものである。
【考案の効果】
【０００５】  上記のとおり本考案の伸縮ゴルフパタ−は、グリップシャフトの内にパタ−ヘッドシャフトを凹型状溝に沿ってスライドさせ、パタ−ヘッドとグリップの長さを自在伸縮調整の上、ジョイントで固定することによりシャフトを短尺、中尺、長尺にセットした個性豊かなスタイルを可能にするゴルフパタ−が実現できる。
【図面の簡単な説明】
【０００６】
【図１】  本考案の移動するスライド式パタ−ヘッドシャフト実施例１を示した側面図である。
【図２】  グリップシャフト実施例２を示した側面図である。
【図３】  グリップシャフトに装着しているジョイント固定具実施例３を示した側面図である。
【図４】  グリップシャフトのジョイント固定具の外側部ジョイント移動キヤップ実施例４を示した断面図である。
【図５】  本考案ゴルフパタ−はパタ−ヘッドシャフト、グリップシャフト、ジョイント固定具、ジョイント移動キヤップから構成されそれぞれの結合を示した側面図である。
【図６】  グリップシャフトにパタ−ヘッドシャフトが凹型状溝で接合している図５のＡ−Ａ断面を示した拡大図である。
【考案を実施するための形態】
【０００７】  パタ−ヘッドシャフトとグリップシャフトの二本のシャフトに凹型状溝を設けてパタ−ヘッドシャフトを伸縮させ回転を固定させる。
【実施例】
【０００８】  以下、添付図面に従い実施例を説明する。１は耐久性のある金属性素材でパタ−ヘッドシャフト１ａに左右対称縦に凹型状溝１ｂと後部にパタ−ヘッドシャフト凹型状溝からして上下対称横に凸型状ストップ溝１ｃを設けた本体、２は金属性素材のグリップシャフト２ａに左右対称縦に凹型状溝２ｂと前部にグリップシャフト凹型状溝からして上下対称横に凹型状ストップ溝２ｃを設けた本体、３はグリップシャフトの先端に装着された円筒形のプラスチック等適宜素材のジョイント固定具で、その前部は左右対称にＶ字型状切込３ａ、中部にら旋状溝３ｂを設けた本体、４はグリップシャフトのジョイント固定具を覆うプラスチック等適宜素材のジョイント移動キヤップで、前部はパタ−ヘッドシャフトがスライドする程度の円筒形から順次太くして、ジョイント固定具のら旋状溝３ｂに接合する部分には、ジョイント移動キヤップ内側にら旋状溝４ａ設けた本体である。【０００９】  本考案の実施例は前記の構成からなるもので、パタ−ヘッドシャフト本体がグリップシャフト本体にレ−ル化された凹型状溝２ｂに沿ってスライドされ、ジョイント固定具３の外部のジョイント移動キヤップ４を回転させると、接しているグリップシャフトに固定しているジョイント固定具３のら旋状溝３ｂをジョイント移動キヤップ４が、ら旋状溝３ｂに沿い移動することによりジョイント固定具３のＶ字型状切込３ａが圧縮しめられパタ−ヘッドシャフトが固定される。【００１０】  パタ−ヘッド伸縮は、ジョイント移動キヤップ４を逆回転して緩めパタ−ヘッドを凸型状ストップ溝１ｃまでの最大伸長の範囲内で長さ調整の上、ジョイント移動キヤップ４を回転しめ、固定する繰返しで自適の伸縮ゴルフパタ−となる。
【符号の説明】
【００１１】１  パタ−ヘッド
１ａ  パタ−ヘッドシャフト
１ｂ  凹型状溝
１ｃ  凸型状ストップ溝
２  グリップ
２ａ  グリップシャフト
２ｂ  凹型状溝
２ｃ  凹型状ストップ溝
３  ジョイント固定具
３ａ  Ｖ字型状切込
３ｂ  ら旋状溝
４  ジョイント移動キヤップ
４ａ  ら旋状溝
【図１】
0003151638.tif 000003
【図２】
0003151638.tif 000004
【図３】
0003151638.tif 000005
【図４】
0003151638.tif 000006
【図５】
0003151638.tif 000007
【図６】
0003151638.tif 000008
(57)【要約】      （修正有）【課題】暗い空間での移動時などに安全性に配慮したインテリア製品を提供する。【解決手段】合成繊維や天化学繊維や天然素材、またはい草のインテリア製品に、再帰反射性のある糸を織り込む、あるいは再帰反射性のある糸を刺繍する、または再帰反射性のあるプリントを施したことを特徴とする。【選択図】図１
0003151631.tif 000002
【実用新案登録請求の範囲】
【請求項１】
化学繊維や天然素材（１）またはい草（２）のインテリア製品であって、再帰反射性のある糸（３）を織り込む、あるいは再帰反射性のある糸を刺繍する、または再帰反射性のあるプリント（４）を施したものであり、製品のカットパイルやループパイルの長さや組合せを変化させる、あるいは織り方を変化させる、または再帰反射性のある糸（３）と再帰反射性のあるプリント（４）を組み合わせて使用することによりデザインするものである事を特徴とするインテリア製品。
【考案の詳細な説明】
【技術分野】
【０００１】  本考案は化学繊維や天然素材、またはい草に、再帰反射性のある糸を織り込む、あるいは再帰反射性のある糸を刺繍する、または再帰反射性のあるプリントを施した敷物や壁面に使用するインテリア製品とすることにより、空間の演出だけでなく、視認性を向上させることにより、安全性にも配慮したリンテリア製品に関するものである。
【背景技術】
【０００２】  従来のものは、  蓄光性のある糸を使用する、あるいはプリントを施してデサインしていた。
【考案の開示】
【本考案が解決しようとする課題】
【０００３】  これらには以下のような欠点かあった。
蓄光糸や蓄光プリントは暗転後の効果持続に限りがあり、室内照明や暗い空間では効果回復は困難であり、視認性を向上させて安全性に配慮した製品とすることが困難であった。本考案はこれらの欠点を解消するために、なされたものである。
【課題を解決するための手段】
【０００４】  化学繊維や天然素材、またはい草のインテリア製品を、再帰反射性のある糸を織り込む、あるいは再帰反射性のある糸を刺繍する、または再帰反射性のあるプリントを施した敷物や壁面に使用するインテリア製品とすることにより、空間の演出だけでなく、わずかな光でも視認性を向上させた安全性に配慮したインテリア製品にとすることが可能となる。
【考案の効果】
【０００５】  化学繊維や天然素材、またはい草のインテリア製品を、再帰反射性のある糸を織り込む、あるいは再帰反射性のある糸を刺繍する、または再帰反射性のあるプリントを施した敷物や壁面に使用するインテリア製品とすることにより、照明器具を中心とした電力による発光による空間演出とは異った、電力消費量をおさえた新しい空間演出が可能となる。また、わずかな光でも視認性を向上させることが可能となるため、暗い空間での移動時などでも、常時点灯や都度空間全体を明るくする必要もなく、間接照明やスポット照明のわずかな光でも視認性が期待できるため、安全性にも配慮したものとして産業発展だけではなく、高齢化社会への貢献も期待できる。
【考案の実施するための最良の形態】
【０００６】  化学繊維や天然素材、またはい草のインテリア製品を、再帰反射性のある糸を織り込む、あるいは再帰反射性のある糸を刺繍する、または再帰反射性のあるプリントを施した敷物や壁面に使用するインテリア製品とする。本考案は以上の構成でこれを使用するときはラグ、カーペット、タイルカーペット、廊敷き、畳、い草上敷き、ユニット式の畳、カーテン、ノレン、パーテション、壁紙などのインテリア製品とする。
【図面の簡単な説明】
【０００７】
【図１】廊下敷きとした場合の参考図
【図２】ラグとした場合の参考図
【符号の説明】
【０００８】（１）    は  科学繊維や天然素材
（２）    は  い草
（３）    は  再帰反射性のある糸
（４）    は  再帰反射性のあるプリント
【図１】
0003151631.tif 000003
【図２】
0003151631.tif 000004
(57)【要約】      （修正有）【課題】簡単に被せられるペット用首飾具を提供する。【解決手段】ペット用首輪の表面に被せる伸縮性のある装飾用輪と、この装飾用輪に取り付けられた飾りとから成ることを特徴とする。【選択図】図５
0003151168.tif 000002
【実用新案登録請求の範囲】
【請求項１】
ペット用首輪の表面に被せる伸縮性のある装飾用輪と、この装飾用輪に取り付けられた飾りとから成ることを特徴としたペット用首飾具。
【考案の詳細な説明】
【技術分野】
【０００１】
本考案は、犬や猫などのペット用首輪にペットの愛らしさを高める首飾具に関するものである。
【背景技術】
【０００２】
最近、ペットの首周りのおしゃれ用品としてバンダナや首飾り等をつけることが増えている。これは首周りの部分が布，皮、合皮、金属、チェーン、ビーズなど一般的であるが、バンダナは、首周りを動くのに伴ってずれたり、外れてしまったりする。又、技術文献１に示す如く、リードの連結具を首輪とは別に連結環にかける時に一緒に引っ掛け具をかけるものもあるが、首周りが上下２本になり違和感があり見栄えが良くない。
【先行技術文献】
【特許文献】
【０００３】
【特許文献１】実用新案登録第３１４００３０号
【考案の概要】
【考案が解決しようとする課題】
【０００４】
本考案はペットの首周りのおしゃれは、首から不用意に外れたり、首周りが２本になってしまったり、簡単に被せられないという欠点を解決しようとするものである。
【課題を解決するための手段】
【０００５】
本考案は、ペット用首輪の表面に被せる伸縮性のある装飾用輪と、この装飾用輪に取り付けられた飾りとから成ることを特徴としたペット用首飾具である。
【考案の効果】
【０００６】
装飾用輪を引っ張って広げることによりペットの頭を通して、首輪の表面に被せることができるので首周りが上下にならず首輪との一体感があり、ペットの愛らしさを高めることができる。
【図面の簡単な説明】
【０００７】
【図１】ペット用首飾具の斜視図
【図２】同上の縦断面図
【図３】ペット用首飾具の部分拡大図
【図４】ペット用首飾具の斜視図
【図５】同上の使用状態図
【考案を実施するための形態】
【０００８】
以下本考案を実施形態の図面に基づいて説明すると、図１はペット用首飾りの斜視図を示し、布を輪状に形成して装飾用輪１と、この装飾用輪１に取り付けられた飾り３とで成している。而してこの装飾用輪１は、伸縮性のあるゴム２にて作られている。
【０００９】
輪状に形成された布１は、伸縮性のあるゴム２と重ねて縫合されており、両者１、２の長さ、太さを変えることによって輪径が異なる首飾りを作成することができ、ペットの首の太さによってサイズの異なる首飾りが選択でき、首にフィットさせることができるので不用意に外れることもない。
【００１０】
又、装飾用輪１を予め帯状にすることによって長い毛のペットでも毛の中に輪が入り込みにくく、多種のデザインの首飾りが作成出来る。さらに散歩時などにずれてしまうことが無い様に、装飾用輪１と伸縮性のあるゴム２の部分とに開けられたに孔４を通して、ペット用首輪６の連結環７をリード８の連結具９とつなぐことが出来る様にしている。さらに孔の周りを装飾用輪１とは別部材５によって補強されている。
【００１１】
図４は、ペットｐの愛らしさを高めるために、首輪６とリード８の接続部分が見えないように飾り３をつけている。
【００１２】
図５は、ペットｐの首輪６の上に装飾用首飾り３を被せたペットの使用状態である。縫い合わされた装飾用輪１と伸縮性のあるゴム２を引っ張って広げることによりペットの頭を通すことができる。手を離すと首輪の表面に被せられ、首にフィットさせることが出来るので首輪６との一体感が得られる。
【００１３】
又、ノーリードでの写真撮影時などには飾りの部分を横や前方にずらすこともできるので、より愛らしい写真撮影をすることができる。最近、ペットに洋服などを着せる事も多いが、これらと組み合わせて着用することにより、おしゃれを楽しむことができる。簡単に被せられるのでペットのおしゃれ用には最適である。
【符号の説明】
【００１４】
１．首飾りの輪部
２．伸縮性のあるゴム
３．首飾りの飾りの部分
４．装飾用輪に開けられた孔の部分
５．孔の周りの補強部分
６．ペット用の首輪
７．首輪の連結環
８．ペット用リード
９．リードの連結具
ｐ.  ペット
【図１】
0003151168.tif 000003
【図２】
0003151168.tif 000004
【図３】
0003151168.tif 000005
【図４】
0003151168.tif 000006
【図５】
0003151168.tif 000007
(57)【要約】【課題】雨天時など屋外で洗濯物が干せない時に、市販の布団乾燥機などの温風を使って、屋内で物干し竿に吊るした状態で、衣類などを乾燥させる事が出来る、物干し竿【解決手段】パイプ製物干し竿の多数の吹き出し孔から、接続及び取り外し可能な市販乾燥機などの温風を、竿下の衣類に直接当て、効率的局所的に衣類を乾燥させる、パイプ製温風吹き出し物干し竿で、軽量で、低価格で、普段の自然乾燥用にも使える汎用性のある物干し竿を作製する。【選択図】図１
0003151175.tif 000002
【実用新案登録請求の範囲】
【請求項１】
パイプ状物干し竿の外周面の直線上に、内側に向かって狭まるテーパーの孔を複数設け、その物干し竿の一方の先端に市販の布団乾燥機などのホースを接続可能な、汎用性接続アタッチメントを取り付けると共に、物干し竿の他の端は穴を塞ぎ、竿のテーパー温風吹き出し孔は、移動出来る開閉バンドで開閉可能とし、その開閉バンドには、衣類ハンガー掛け用のフックを付けことを特徴とする、衣類乾燥用物干し竿。
【考案の詳細な説明】
【技術分野】
【０００１】
衣類乾燥機に関するもの。
【背景技術】
【０００２】
家庭用衣類乾燥用として、ふとん乾燥機、衣類乾燥機などがある。
【考案の開示】
【考案が解決しようとする課題】
【０００３】
雨天時及び、風の強い時など、洗濯物衣類を屋内で物干し竿に吊るしたまま、市販布団乾燥機などの温風を利用して乾燥させる事の出来る、衣類乾燥用物干し竿で、自然乾燥用にも使え、市販乾燥機の有効利用にもなる、軽量低価格汎用性物干し竿の作製。
【０００４】
衣類などで皺が寄っては困るものは、家庭用衣類乾燥機では使用出来ない場合がある。
またふとん乾燥機など利用の衣類ハンガーに吊り下げ式乾燥室などあるが、限られた大きさで一度に沢山の洗濯物は利用出来ない。
【０００５】
乾燥機付物干し台など一体型物干し台で竿の孔から熱風を出すものもあるが、市販の布団乾燥機などは利用出来ない。また屋内屋外で使用可能な汎用性物干し竿が望まれる。
【課題を解決するための手段】
【０００６】
パイプ状物干し竿の外周面の直線上に、内側に向かって狭まるテーパーの孔を複数設け、その物干し竿の一方の先端に市販の布団乾燥機などのホースを接続可能な、汎用性接続アタッチメントを取り付けると共に、物干し竿の他の端は穴を塞ぎ、竿のテーパー温風吹き出し孔は、移動出来る開閉バンドで開閉可能とし、その開閉バンドには、衣類ハンガー掛け用のフックを付けことを特徴とする、衣類乾燥用物干し竿。
そこで軽くて、低価格で、屋内屋外で使用出来る、パイプ製の物干竿に多数の孔を明け、その、物干し竿に接続した市販の乾燥機などから送られる温風を、物干し竿の孔から吹き出して、衣類を乾燥させる汎用性物干し竿の作製。
【考案の効果】
【０００７】
当考案のパイプ製衣類乾燥用物干し竿を使用する事により、屋内で多数の洗濯物を、物干し竿のハンガーに掛けたまま、局所的に洗濯物を乾燥させる事が出来る。また乾燥機を外せば、通常の自然乾燥用の物干し竿としても使用出来る。
【考案を実施するための最良の形態】
【０００８】
パイプ製物干し竿１に温風吹き出し用テーパー孔２を明ける。明けたテーパー孔２は出口に広い角度３が付いているため、温風が洗濯物全体に当るようになる。また吹き出しテーパー孔２は、必要に応じて、移動可能な、衣類ハンガー用フック１３の付いた、吹き出し孔開閉バンド４で閉じ、無駄な温風を無くす事が出来る。
【０００９】
パイプ製物干し竿１の片方の端は、送られた温風を逃がさないため、止め栓５で止める。もう一方の端は、ホース１１を接続した時、温風洩れ防止用として、汎用性ホース接続アタッチメント６を取り付ける。またホース固定用フック８を竿１に取り付け、ホース１１とパイプ竿１をヒモ９で縛り固定出来るようにする。
【００１０】
汎用性ホース接続アタッチメント６は、入り口に角度７をつけて、市販の乾燥機１０など多種のホース先１１の外径の違いに対応出来る汎用性とする。
【００１１】
乾燥機１０から出た温風を有効的に活用するため、物干し竿１の上からビニールカバーで洗濯物を覆い、温風の拡散防止を図る。
【図面の簡単な説明】
【００１２】
【図１】全体の構成略図
【図２】各部品断面図
【符号の説明】
【００１３】
１  パイプ製物干し竿
２  温風吹き出しテーパー孔
３  吹き出し孔の角度
４  ハンガー用フック付き吹き出し孔開閉バンド
５  止め栓
６  汎用性ホース接続アタッチメント
７  ホース接続口の角度
８  ホース固定用フック
９  ホース固定用ヒモ
１０  市販乾燥機
１１  乾燥機用ホース
１２  衣類用ハンガー
１３  衣類ハンガー用フック
【図１】
0003151175.tif 000003
【図２】
0003151175.tif 000004